(57)【要約】【課題】筒状操作部材と座板貫通穴との隙間を容易に且つ確実に塞ぐことのできる錠装置の取付構造を得、取付け性、経済性を損なわずに隙間風の侵入を防止する。【解決手段】扉１１に錠箱２７を内設するとともに扉面１１Ａに台座ケース２１を固定し、基端を錠箱２７に固定した筒状操作部材３５が、扉面１１Ａに穿設された扉貫通穴を貫通して台座ケース２１の開口穴から先端を表出させる錠装置１３の取付構造であって、台座ケース２１は、扉面１１Ａに固定される座板を介して扉面１１Ａに固定される。この座板には、筒状操作部材３５を挿通する座板貫通穴が穿設される。筒状操作部材３５の外周面には、座板貫通穴との隙間を塞ぐ操作部材用弾性シート材が設けられる。【選択図】      図１
2008106448.tif 000002
【特許請求の範囲】
【請求項１】
扉に錠箱を内設するとともに扉面に台座ケースを固定し、基端を前記錠箱に連結固定した筒状操作部材が、前記扉面に穿設された扉貫通穴を貫通して前記台座ケースの開口穴から先端を表出させる錠装置の取付構造であって、
前記筒状操作部材の外周面には、前記扉貫通穴との隙間を塞ぐ操作部材用弾性シート材が設けられたことを特徴とする錠装置の取付構造。
【請求項２】
前記扉貫通穴には、該扉貫通穴の内径を狭めて前記操作部材用弾性シート材と密着する弾性シート材が設けられていることを特徴とする請求項１記載の錠装置の取付構造。
【請求項３】
扉に錠箱を内設するとともに扉面に台座ケースを固定し、基端を前記錠箱に連結固定した筒状操作部材が、前記扉面に穿設された扉貫通穴を貫通して前記台座ケースの開口穴から先端を表出させる錠装置の取付構造であって、
前記台座ケースは、前記扉面に固定される座板を介して前記扉面に固定され、
該座板には前記筒状操作部材を挿通する座板貫通穴が穿設され、
前記筒状操作部材の外周面には、該座板貫通穴との隙間を塞ぐ操作部材用弾性シート材が設けられたことを特徴とする錠装置の取付構造。
【請求項４】
前記扉面に対面する前記座板の固定面には、少なくとも前記座板貫通穴を包囲するように座板用弾性シート材が設けられたことを特徴とする請求項３記載の錠装置の取付構造。
【請求項５】
前記座板用弾性シート材の前記座板貫通穴に対応する部位には、該座板貫通穴より小径のシート材貫通穴が同芯状に穿設され、
且つ該シート材貫通穴の周縁には、複数の切り込みが前記座板貫通穴に到達しない長さで放射状に設けられていることを特徴とする請求項４記載の錠装置の取付構造。
【請求項６】
前記座板には、前記台座ケースと前記錠箱とに亘って設けられる作動板の挿通穴が穿設され、
前記座板用弾性シート材には、該作動板の板厚寸法より小さい離間寸法で切られ且つ該作動板の面方向に沿うスリット穴が穿設されたことを特徴とする請求項３，４，５のいずれか１つに記載の錠装置の取付構造。
【請求項７】
前記筒状操作部材の外周に設けられた操作部材用弾性シート材は、前記筒状操作部材の先端側の端面が、前記台座ケースの内面における前記開口穴の周縁に当接することを特徴とする請求項１，２，３，４，５，６のいずれか１つに記載の錠装置の取付構造。
【発明の詳細な説明】
【技術分野】
【０００１】
本発明は、扉に錠箱が内設され、扉面には例えばプッシュプル錠等の台座ケースが固定される錠装置の取付構造に関し、特に、基端を錠箱に固定した筒状操作部材、すなわちシリンダ錠部材やサムターン部材が、扉面に穿設された扉貫通穴を貫通して台座ケースの開口穴から先端を表出させる錠装置の取付錠装置に用いて好適なものである。
【背景技術】
【０００２】
近年、住宅玄関扉等には、美観、操作性、機能性等を兼ね備えたものとして、上下方向長尺に形成されたグリップハンドルの上下端を、台座を介して可動自在に扉面に取り付けた錠装置（所謂プッシュプル錠）を採用することがある。このプッシュプル錠は、例えば外開きの玄関扉に取り付けられた場合、扉を開放する際に、室内側に取り付けられたグリップハンドルを押し込み方向に僅かに可動することで、扉に内蔵された錠箱のラッチボルトを錠箱内へ後退させ、扉を開放可能にする。一方、屋外側に取り付けられたグリップハンドルは、扉を開放する際に、台座に対しグリップハンドルが引っ張り方向に僅かに可動することで、錠箱のラッチボルトを錠箱内へ後退させ、扉を開放可能にする。すなわち、扉の開放方向と、グリップハンドルを掴み持つ人の手の操作方向とを一致させて、ラッチボルトの後退を連動させ、扉の良好な開放操作性を実現していた。また、その構造上、上下に配置される台座には、筒状操作部材であるシリンダ錠がそれぞれ内蔵することが可能となり、１ドア２ロック構造を採用することにより防犯性を向上させている。
【０００３】
このプッシュプル錠の取付構造では、ラッチボルトを内蔵する錠箱と、グリップハンドルを有する台座とが、それぞれ別途に扉に取付け固定される。錠箱には本締め時に使用されるデッドボルトが内蔵され、デッドボルトは錠箱に基端が固定された室外側のシリンダ錠、室内側の筒状操作部材であるサムターンユニットによって進退操作（施解錠操作）される。扉の室外側に設けられるグリップハンドルの台座ケースには、扉面から突出したシリンダ錠を挿入するための開口穴が設けられている。扉の室内側に設けられるグリップハンドルの台座ケースには、扉面から突出したサムターンユニットを挿入するための開口穴が設けられている。これにより、台座を扉に取付け固定したときには、台座に穿設されたそれぞれの開口穴にシリンダ錠、サムターンユニットが一致し、見栄えの良い外観が得られるようになっていた。
【発明の開示】
【発明が解決しようとする課題】
【０００４】
しかしながら、従来のプッシュプル錠は、シリンダ錠、サムターンユニットの固定される錠箱とグリップハンドルの台座が別途に扉に対して取付けされていたため、両部材間には取付けに必要な隙間が存在していた。近年、住宅の高気密化、換気扇容量の大型化に伴い、換気扇を最大で作動させると、室内側が負圧となり、上記した錠装置の隙間において隙間風の発生する虞があった。一方で、この隙間を小さくすれば、取付け性が低下し、最悪の場合には取付け不能となることが想定された。また、台座ケースは、座板を介して扉面に固定される。筒状操作部材は、座板に穿設された座板貫通穴に挿通される。このことから、従来より座板と扉面との間には、弾性シート材を設ける取付構造が提案されていた。ところが、この取付構造では、弾性シート材に穿設したシート材貫通穴に筒状操作部材が挿通されるのみであるため、筒状操作部材の外周面に、シート材貫通穴の内周面が接するだけとなり、接触面積がシート材の厚み分しか得られず、十分な隙間風防止効果を得ることができなかった。これに加え、座板と扉面との間に弾性シート材を設けた取付構造では、台座ケースにおける開口穴の周縁と、筒状操作部材の先端側とに形成される隙間は塞ぐことができなかった。このため、取付け性、経済性を損なわずに、隙間を埋めることが容易な取付構造の開発要請があった。
【０００５】
本発明は上記状況に鑑みてなされたもので、その第１の目的は、筒状操作部材と扉の扉貫通穴、及び座板貫通穴との隙間を容易に且つ確実に塞ぐことのできる錠装置の取付構造を提供し、もって、取付け性、経済性を損なわずに隙間風の侵入防止を図ることを目的とする。また、その第２の目的は、筒状操作部材と座板貫通穴との間、及び筒状操作部材と台座ケースの開口穴との間の二箇所の隙間を同時に塞ぐことができる錠装置の取付構造を提供し、もって、取付け性、経済性を損なわずに隙間風の侵入防止効果を十分に得ることを目的とする。
【課題を解決するための手段】
【０００６】
次に、上記の課題を解決するための手段を、実施の形態に対応する図面を参照して説明する。
本発明の請求項１記載の錠装置の取付構造は、扉１１に錠箱２７を内設するとともに扉面１１Ａに台座ケース２１を固定し、基端を前記錠箱２７に連結固定した筒状操作部材３５が、前記扉面１１Ａに穿設された扉貫通穴を貫通して前記台座ケース２１の開口穴６１から先端を表出させる錠装置１３の取付構造であって、
前記筒状操作部材３５の外周面８３ａには、前記扉貫通穴との隙間を塞ぐ操作部材用弾性シート材８５が設けられたことを特徴とする。
【０００７】
この錠装置の取付構造では、筒状操作部材３５の外周面８３ａに操作部材用弾性シート材８５が設けられ、操作部材用弾性シート材８５が設けられた筒状操作部材３５が扉１１の扉貫通穴に挿通状態となることで、操作部材用弾性シート材８５が扉貫通穴の部分で、操作部材用弾性シート材８５が密着される。これにより、筒状操作部材３５の外周面と扉貫通穴との隙間が操作部材用弾性シート材８５によって確実に塞がれる。
【０００８】
請求項２記載の錠装置の取付構造は、前記扉貫通穴には、該扉貫通穴の内径を狭めて前記操作部材用弾性シート材８５と密着する弾性シート材が設けられていることを特徴とする。
【０００９】
この錠装置の取付構造では、扉面１１Ａに穿設される扉貫通穴からの隙間風が、筒状操作部材３５との隙間に侵入しなくなる。
【００１０】
請求項３記載の錠装置の取付構造は、扉１１に錠箱２７を内設するとともに扉面１１Ａに台座ケース２１を固定し、基端を前記錠箱２７に連結固定した筒状操作部材３５が、前記扉面１１Ａに穿設された扉貫通穴を貫通して前記台座ケース２１の開口穴６１から先端を表出させる錠装置１３の取付構造であって、
前記台座ケース２１は、前記扉面１１Ａに固定される座板５１を介して前記扉面１１Ａに固定され、
該座板５１には前記筒状操作部材３５を挿通する座板貫通穴７７が穿設され、
前記筒状操作部材３５の外周面８３ａには、該座板貫通穴７７との隙間を塞ぐ操作部材用弾性シート材８５が設けられたことを特徴とする。
【００１１】
この錠装置の取付構造では、筒状操作部材３５の外周面８３ａに操作部材用弾性シート材８５が設けられ、操作部材用弾性シート材８５が設けられた筒状操作部材３５が座板５１の座板貫通穴７７に挿通されることで、操作部材用弾性シート材８５が座板貫通穴７７の部分で、座板貫通穴７７の内径まで弾性変形して縮径される。これにより、筒状操作部材３５と座板貫通穴７７との隙間が密接した操作部材用弾性シート材８５によって確実に塞がれる。また、操作部材用弾性シート材８５の縮径部と非縮径部とに連続する傾斜変形部８５ｂが、座板貫通穴表裏の周縁に密接することで、操作部材用弾性シート材８５と座板貫通穴７７との密接面積が増大し、より高い隙間風防止効果が得られる。
【００１２】
請求項４記載の錠装置の取付構造は、前記扉面１１Ａに対面する前記座板５１の固定面６５ａには、少なくとも前記座板貫通穴７７を包囲するように座板用弾性シート材１０１が設けられたことを特徴とする。
【００１３】
この錠装置の取付構造では、扉面１１Ａと座板５１の間に侵入した隙間風が、筒状操作部材３５と座板貫通穴７７との隙間に侵入しなくなる。
【００１４】
請求項５記載の錠装置の取付構造は、前記座板用弾性シート材１０１の前記座板貫通穴７７に対応する部位には、該座板貫通穴７７より小径のシート材貫通穴１０３が同芯状に穿設され、
且つ該シート材貫通穴１０３の周縁には、複数の切り込み１０５が前記座板貫通穴７７に到達しない長さで放射状に設けられていることを特徴とする。
【００１５】
この錠装置の取付構造では、扉１１に固定された筒状操作部材３５の先端側から、座板５１に設けられた座板用弾性シート材１０１のシート材貫通穴１０３が外嵌されると、切り込み１０５により、シート材貫通穴１０３の周縁が複数のヒレ片１０７となって、筒状操作部材３５の先端側へ折り曲げられるとともに、座板貫通穴７７に挿通され、複数のヒレ片１０７が操作部材用弾性シート材８５の外周面に密着する。
【００１６】
請求項６記載の錠装置の取付構造は、前記座板５１には、前記台座ケース２１と前記錠箱２７とに亘って設けられる作動板の挿通穴７９が穿設され、
前記座板用弾性シート材１０１には、該作動板の板厚寸法より小さい離間寸法で切られ且つ該作動板の面方向に沿うスリット穴１０９が穿設されたことを特徴とする。
【００１７】
この錠装置の取付構造では、錠箱２７と台座ケース２１とに亘って作動板が可動自在に配置される構造であっても、挿通穴７９と作動板との隙間が、作動板の移動可能な状態で塞がれる。
【００１８】
請求項７記載の錠装置の取付構造は、前記筒状操作部材３５の外周に設けられた操作部材用弾性シート材８５は、前記筒状操作部材３５の先端側の端面８５ａが、前記台座ケース２１の内面における前記開口穴６１の周縁に当接することを特徴とする。
【００１９】
この錠装置の取付構造では、操作部材用弾性シート材８５によって、筒状操作部材３５と座板貫通穴７７との間、及び筒状操作部材３５と台座ケース２１の開口穴６１との間の二箇所の隙間が同時に塞がれる。
【発明の効果】
【００２０】
本発明に係る請求項１記載の錠装置の取付構造によれば、筒状操作部材の外周面に、扉貫通穴との隙間を塞ぐ操作部材用弾性シート材を設けたので、取付け性、経済性を損なわずに隙間風の侵入を確実に防止することができる。
【００２１】
請求項２記載の錠装置の取付構造によれば、扉貫通穴内径を狭めて密着するように弾性シート材を設けたので、扉面との間に侵入した隙間風が、筒状操作部材と扉貫通穴との隙間に侵入することを防止でき、操作部材用弾性シート材と共に、隙間風の侵入をより確実に防止することができる。
【００２２】
請求項３記載の錠装置の取付構造によれば、筒状操作部材の外周面に、座板貫通穴との隙間を塞ぐ操作部材用弾性シート材を設けたので、取付け性、経済性を損なわずに隙間風の侵入を確実に防止することができる。
【００２３】
請求項４記載の錠装置の取付構造によれば、座板の固定面に、座板貫通穴を包囲するように座板用弾性シート材を設けたので、扉面と座板の間に侵入した隙間風が、筒状操作部材と座板貫通穴との隙間に侵入することを防止でき、操作部材用弾性シート材と共に、隙間風の侵入をより確実に防止することができる。
【００２４】
請求項５記載の錠装置の取付構造によれば、座板用弾性シート材に、座板貫通穴より小径のシート材貫通穴を穿設し、このシート材貫通穴の周縁に、切り込みを放射状に設けたので、扉に固定された筒状操作部材の先端側から、座板に設けられた座板用弾性シート材のシート材貫通穴が外嵌されると、切り込みにより、シート材貫通穴の周縁が複数のヒレ片となって、筒状操作部材の先端側へ折り曲げられるとともに、座板貫通穴に挿通される。これにより、複数のヒレ片が操作部材用弾性シート材の外周面に密着し、座板貫通穴と筒状操作部材との隙間をより確実に塞ぐことができる。
【００２５】
請求項６記載の錠装置の取付構造によれば、座板用弾性シート材に、作動板の板厚寸法より小さい離間寸法で切られたスリット穴を穿設したので、錠箱と台座ケースとに亘って作動板が可動自在に配置される構造であっても、挿通穴と作動板との隙間を、作動板が移動可能な状態で座板用弾性シート材により塞ぐことができる。
【００２６】
請求項７記載の錠装置の取付構造によれば、筒状操作部材の外周に設けられた操作部材用弾性シート材の先端側の端面が、台座ケースの内面における開口穴の周縁に当接するので、操作部材用弾性シート材によって、筒状操作部材と座板貫通穴との間、及び筒状操作部材と台座ケースの開口穴との間の二箇所の隙間を同時に塞ぐことができ、取付け性、経済性を損なわずに隙間風の侵入防止効果を十分に得ることができる。
【発明を実施するための最良の形態】
【００２７】
以下、本発明に係る錠装置の取付構造の好適な実施の形態を図面を参照して詳細に説明する。
図１は本発明に係る取付構造を備えた扉を室内側から視た斜視図、図２は扉の室外側に固定された台座ケースの要部縦断面図である。
扉１１の室内外側の扉面１１Ａ，１１Ｂには、錠装置であるプッシュプル錠１３の室内側グリップハンドルユニット１５と室外側グリップハンドルユニット１７とが取り付けられている。室内側グリップハンドルユニット１５は、上下に延在するグリップハンドル１９の上下端に台座ケース２１，２３が設けられている。室外側グリップハンドルユニット１７は、上下に延在するグリップハンドル１９の上下端に台座ケース２５（上端のみを図示する）が設けられている。
【００２８】
扉１１には、台座ケース２１に対する位置に上部側の錠箱２７が内設され、台座ケース２３に対する位置に下部側の錠箱２９が内設されている。錠箱２７にはデッドボルト３１とラッチボルト３３とが進退自在に設けられている。デッドボルト３１は、室内側グリップハンドルユニット１５の台座ケース２１を貫通するサムターンユニット３５、又は室外側グリップハンドルユニット１７の台座ケース２５を貫通するシリンダ錠３７によって進退作動される。ラッチボルト３３は、室内側グリップハンドルユニット１５のグリップハンドル１９を押し込み方向に僅かに可動することにより、或いは室内側グリップハンドルユニット１５のグリップハンドル１９を引っ張り方向に僅かに可動することで、後述する作動板を介して操作力が錠箱２７へ入力され、錠箱２７内へ後退されて、扉１１を開放可能にする。
【００２９】
下部側の錠箱２９にはデッドボルト３９が進退自在に設けられ、デッドボルト３９は室内側グリップハンドルユニット１５の台座ケース２３を貫通するサムターンユニット３５、又は室外側グリップハンドルユニット１７の台座ケース（図示せず）を貫通するシリンダ錠（図示せず）によって進退作動される。なお、図２において、４１はシリンダ錠３７に挿入される合鍵、図３において、４３はサムターンユニット３５の摘みを表す。
【００３０】
図２に示すように、室外側グリップハンドルユニット１７の台座ケース２５には連結軸４５の基端が固定され、連結軸４５は雌ネジ４７の形成された先端側が扉１１の取付孔（図示せず）に挿入される。一方、扉１１の室内側の扉面１１Ａには座板５１が配置され、座板５１の連結穴５３に挿通された皿ビス５５は連結軸４５の雌ネジ４７に螺合されている。つまり、室外側グリップハンドルユニット１７の台座ケース２５は、連結軸４５を介して室内側の扉面１１Ａに配置された座板５１に固定されている。
【００３１】
ここで、サムターンユニット３５及びシリンダ錠３７は予め錠箱２７に基端が固定されている。サムターンユニット３５は後端に配置される連動部材５７によって操作力が錠箱２７へ入力され、シリンダ錠３７は後端に配置される連動部材５９によって操作力が錠箱２７へ入力される。基端が錠箱２７に固定されたサムターンユニット３５は、台座ケース２１の開口穴６１から室内側へ突出する。また、基端が錠箱２７に固定されたシリンダ錠３７は、台座ケース２５の開口穴６３から室外側に表出される。
【００３２】
つまり、本実施の形態による錠装置の取付構造では、扉１１に錠箱２７を内設するとともに扉面１１Ａ，１１Ｂに台座ケース２１、台座ケース２５を固定し、基端を錠箱２７に固定した筒状操作部材であるサムターンユニット３５、シリンダ錠３７が、扉面１１Ａ，１１Ｂに穿設された扉貫通穴（図示せず）を貫通して台座ケース２１、台座ケース２５の開口穴６１、開口穴６３から先端を表出させている。これにより、台座ケース２１，２３，２５を扉１１に取付け固定したときに、台座ケース２１，２５に穿設されたそれぞれの開口穴６１，６３にサムターンユニット３５、シリンダ錠３７が一致し、見栄えの良い外観が得られるようになっている。
【００３３】
なお、本実施の形態による錠装置の取付構造は、室内側グリップハンドルユニット１５及び室外側グリップハンドルユニット１７における上下台座ケース２１，２３，２５の何れにも適用できるので、以下では筒状操作部材であるサムターンユニット３５を挿通する室内側グリップハンドルユニット１５における台座ケース２１の場合を例に説明する。
【００３４】
図３は扉の室内側に固定された台座ケースの要部縦断面図、図４は座板に挿通されたサムターンユニットの斜視図、図５は座板と座板用弾性シート材との分解斜視図、図６はサムターンユニット挿通前の座板を座板固定面側から視た分解斜視図、図７は操作部材用弾性シート材の貼着状況を表す斜視図である。
台座ケース２１は、上記のように扉面１１Ａに固定される座板５１を介して扉面１１Ａに固定される。図４に示すように、座板５１は、上下方向に長い略矩形状の基板６５の上辺部に位置決め片６７，下辺部に位置決め片６９が起立され、位置決め片６７，６９は台座ケース２１の内壁に当接して台座ケース２１を所定位置に位置決めする。
【００３５】
また、基板６５の左右辺部には上下一対の位置決め片７１，７３がそれぞれ起立形成され、位置決め片７１，７３は台座ケース２１の左右内壁に当接して台座ケース２１を所定位置に位置決めする。左右の位置決め片７３，７３にはネジ穴７５が形成され、ネジ穴７５には台座ケース２１の両側壁から挿入された不図示のネジが螺合される。これにより、台座ケース２１は、座板５１に固定されるようになっている。
【００３６】
座板５１の基板６５にはサムターンユニット３５を挿通する座板貫通穴７７が穿設されている。また、座板貫通穴７７の下方の基板６５には、台座ケース２１と錠箱２７とに亘って設けられる不図示の作動板が貫通配置される縦長な挿通穴７９が穿設されている。作動板は、表裏面が上下に延在する細板片状に形成され、面方向に沿って、すなわち上下に揺動される。挿通穴７９の下方にはこの作動板の揺動空間となる凹部８１が凹設されている。作動板は、グリップハンドル１９の作動により上下方向に揺動され、その揺動が錠箱２７に操作力となって入力される。
【００３７】
サムターンユニット３５の外殻を形成する外筒８３の外周面８３ａには、座板貫通穴７７との隙間を塞ぐ操作部材用弾性シート材８５が設けられている。図７に示すように、外筒８３は、先端部が大径に形成され、操作部材用弾性シート材８５の巻かれる外周面８３ａがやや小径に形成されている。つまり、先端部と外周面８３ａとには段部８７が形成されている。操作部材用弾性シート材８５は、この段部８７に端面８５ａを当接して容易に位置決めされるようになっている。
【００３８】
操作部材用弾性シート材８５は、両面テープによって外周面８３ａに貼着される。また、操作部材用弾性シート材８５は、外周面８３ａに塗布した接着剤によって貼着されるものであってもよい。さらに、操作部材用弾性シート材８５は、熱収縮管によって製作し、加熱によって外周面８３ａに被着するものであってもよい。本実施の形態では、操作部材用弾性シート材８５の素材として、ウレタン樹脂シート、独立気泡型発泡ウレタン樹脂シート等とされ貼着されている。
【００３９】
外筒８３の後端部８９には固定穴９１を有した一対の固定突起９３，９３が突設され、外筒８３は不図示の固定ピンが錠箱２７と固定穴９１に貫通されることで錠箱２７に固定される。外筒８３の後端面には回動自在なテールピース９５が突設され、テールピース９５は摘み４３の回動操作によって回動され、連動部材５７を回動させる。
【００４０】
座板５１の下部には連結穴９７が穿設され、座板５１の下部は連結穴９７に挿通された皿ビス９９が不図示の連結軸に螺合される。
【００４１】
図３に示すように、サムターンユニット３５の外周面８３ａに設けられた操作部材用弾性シート材８５は、先端側の端面８５ａが、台座ケース２１の内面における開口穴６１の周縁に当接する。端面８５ａを開口穴６１の周縁に当接することにより、操作部材用弾性シート材８５によって、サムターンユニット３５と座板貫通穴７７との間、及びサムターンユニット３５と台座ケース２１の開口穴６１との間の二箇所の隙間が同時に塞がれるようになっている。
【００４２】
扉面１１Ａに対面する座板５１の固定面６５ａには、少なくとも座板貫通穴７７を包囲するように座板用弾性シート材１０１が貼着される。本実施の形態では、座板用弾性シート材１０１は、座板５１の基板６５と略同一外形で形成される。このように、座板用弾性シート材１０１が扉１１と座板５１との間に配設されることにより、扉面１１Ａと座板５１の間に侵入した隙間風が、サムターンユニット３５と座板貫通穴７７との隙間に侵入することを防止でき、操作部材用弾性シート材８５と共に、隙間風の侵入をより確実に防止することができるようになっている。
【００４３】
また、座板用弾性シート材１０１の座板貫通穴７７に対応する部位には、この座板貫通穴７７より小径のシート材貫通穴１０３が同芯状に穿設されている。そして、シート材貫通穴１０３の周縁には、複数の切り込み１０５が座板貫通穴７７に到達しない長さで放射状に設けられている。扉１１に固定されたサムターンユニット３５の先端側から、座板５１に設けられた座板用弾性シート材１０１のシート材貫通穴１０３が外嵌されると、切り込み１０５により、シート材貫通穴１０３の周縁が複数のヒレ片１０７となって、サムターンユニット３５の先端側へ折り曲げられるとともに、座板貫通穴７７に挿通され、複数のヒレ片１０７が操作部材用弾性シート材８５の外周面に密着することとなる。これにより、座板貫通穴７７とサムターンユニット３５との隙間をより確実に塞ぐことができるようになっている。
【００４４】
また、座板用弾性シート材１０１の挿通穴７９に対する部位にはスリット穴１０９が穿設され、スリット穴１０９は作動板の板厚寸法より小さい離間寸法で切られることにより形成されている。このように、座板用弾性シート材１０１に、作動板の板厚寸法より小さい離間寸法で切られたスリット穴１０９を穿設したので、錠箱２７と台座ケース２１とに亘って作動板が可動自在に配置される構造であっても、挿通穴７９と作動板との隙間を、作動板が移動可能な状態で座板用弾性シート材１０１により塞ぐことができる。なお、図５において、１１１は皿ビス５５の挿通穴、１１３は皿ビス９９の挿通穴、１１５は凹部８１の貫通穴を表す。
【００４５】
次に、上記のように構成された取付構造の作用を説明する。
プッシュプル錠１３を扉１１に取り付けるには、錠箱２７に、サムターンユニット３５と、シリンダ錠３７とを予め固定しておく。また、サムターンユニット３５の外周面８３ａには予め操作部材用弾性シート材８５を貼着しておき、シリンダ錠３７にも必要に応じて予め操作部材用弾性シート材１１１を貼着しておく。
【００４６】
次いで、室外側グリップハンドルユニット１７の台座ケース２５から突出した連結軸４５を、扉面１１Ｂの取付孔（図示せず）に挿入する。
一方、扉面１１Ａには座板５１を配置しておく。座板５１の固定面６５ａには予め座板用弾性シート材１０１を貼着しておく。座板５１の連結穴５３、連結穴９７に挿入した皿ビス５５、皿ビス９９を、連結軸４５の雌ネジ４７に螺合する。
次いで、座板５１を覆うようにして室内側グリップハンドルユニット１５の台座ケース２１を扉面１１Ａに取付け、台座ケース２１の両側面から挿入した不図示のビスを、座板５１のネジ穴７５に螺合する。これにより、シリンダ錠３７及びサムターンユニット３５と、室外側グリップハンドルユニット１７及び室内側グリップハンドルユニット１５との一体的な取付けが完了する。
【００４７】
このように上記の錠装置の取付構造では、サムターンユニット３５の外周面８３ａに操作部材用弾性シート材８５が設けられ、操作部材用弾性シート材８５が設けられたサムターンユニット３５が座板５１の座板貫通穴７７に挿通されることで、操作部材用弾性シート材８５が座板貫通穴７７の部分で、座板貫通穴７７の内径まで弾性変形して縮径される。これにより、サムターンユニット３５と座板貫通穴７７との隙間が密接した操作部材用弾性シート材８５によって確実に塞がれる。また、操作部材用弾性シート材８５の縮径部と非縮径部とに連続する傾斜変形部８５ｂ（図２参照）が、座板貫通穴表裏の周縁に密接することで、操作部材用弾性シート材８５と座板貫通穴７７との密接面積が増大し、より高い隙間風防止効果が得られるようになっている。
【００４８】
したがって、本実施の形態による錠装置の取付構造によれば、サムターンユニット３５の外周面８３ａに、座板貫通穴７７との隙間を塞ぐ操作部材用弾性シート材８５を設けたので、取付け性、経済性を損なわずに隙間風の侵入を確実に防止することができる。
【００４９】
また、サムターンユニット３５の外周面８３ａに設けられた操作部材用弾性シート材８５の先端側の端面８５ａが、台座ケース２１の内面における開口穴６１の周縁に当接するので、操作部材用弾性シート材８５によって、サムターンユニット３５と座板貫通穴７７との間、及びサムターンユニット３５と台座ケース２１の開口穴６１との間の二箇所の隙間を同時に塞ぐことができ、取付け性、経済性を損なわずに隙間風の侵入防止効果を十分に得ることができる。
【００５０】
なお、上記の実施の形態では、弾性シート材の設けられる筒状操作部材がサムターンユニット３５である場合を例に説明したが、本発明に係る錠装置の取付構造は、筒状操作部材がシリンダ錠３７であっても、図２に示すように、シリンダ錠３７の外周面３７ａに操作部材用弾性シート材１１７が設けられることで、上記と同様の効果を奏するものである。
【図面の簡単な説明】
【００５１】
【図１】本発明に係る取付構造を備えた扉を室内側から視た斜視図である。
【図２】扉の室外側に固定された台座ケースの要部縦断面図である。
【図３】扉の室内側に固定された台座ケースの要部縦断面図である。
【図４】座板に挿通されたサムターンユニットの斜視図である。
【図５】座板と座板用弾性シート材との分解斜視図である。
【図６】サムターンユニット挿通前の座板を座板固定面側から視た分解斜視図である。
【図７】操作部材用弾性シート材の貼着状況を表す斜視図である。
【符号の説明】
【００５２】
１１…扉
１１Ａ，１１Ｂ…扉面
１３…錠装置（プッシュプル錠）
２１，２３，２５…台座ケース
２７，２９…錠箱
３５…筒状操作部材（サムターンユニット）
３７…筒状操作部材（シリンダ錠）
５１…座板
６１…開口穴
６５ａ…座板の固定面
７７…座板貫通穴
７９…挿通穴
８３ａ…筒状操作部材の外周面
８５…操作部材用弾性シート材
８５ａ…先端側の端面
１０１…座板用弾性シート材
１０３…シート材貫通穴
１０５…切り込み
１０９…スリット穴
【図１】
2008106448.tif 000003
【図２】
2008106448.tif 000004
【図３】
2008106448.tif 000005
【図４】
2008106448.tif 000006
【図５】
2008106448.tif 000007
【図６】
2008106448.tif 000008
【図７】
2008106448.tif 000009